(57)【特許請求の範囲】
【請求項１】
燃焼部に対して給気または排気を行う給排気部を備える燃焼装置であって、
前記燃焼部に点火する点火手段と、
前記給排気部に備えられたファンモータと、
燃焼許可から点火動作前、前記ファンモータの駆動開始から回転の有無と、回転数が所定範囲内であるか否かと、消費電力値または駆動電力値から前記給排気部の閉塞を検出する状態検出手段と、
予め前記ファンモータの動作確認時間、前記ファンモータの非回転確認時間、前記ファンモータの回転異常確認時間および前記給排気部の閉塞監視時間が設定され、前記点火動作前、前記ファンモータの駆動開始により時間計測を開始する時間計測手段と、
前記状態検出手段からの検出情報を受け、前記ファンモータの回転が検出されないで前記非回転確認時間を経過した場合、前記ファンモータの回転数が所定範囲に無いまま前記回転異常確認時間を経過した場合、消費電力値または駆動電力値が閾値に到達せずに前記閉塞監視時間を経過した場合、および前記時間計測手段による計測時間が前記非回転確認時間、前記回転異常確認時間、前記閉塞監視時間のいずれも超えなくても、前記動作確認時間を経過した場合に異常と判定する異常判定手段と、
前記時間計測手段が前記動作確認時間を経過する前に、前記ファンモータの回転を検出し、前記ファンモータの回転数が所定範囲内且つ前記ファンモータの消費電力値または駆動電力値が閾値以上の場合に点火動作を行い、前記異常判定手段の異常判定により点火動作を禁止する制御手段と、
を備えることを特徴とする燃焼装置。
【請求項２】
前記状態検出手段は、前記ファンモータの停止操作後、前記ファンモータの回転を検出し、
前記異常判定手段は、前記ファンモータの停止操作後、所定時間が経過しても前記ファンモータが回転している場合、前記ファンモータを異常と判定する
ことを特徴とする請求項１に記載の燃焼装置。
【請求項３】
前記給排気部の前記閉塞監視時間は、前記非回転確認時間または前記回転異常確認時間を確認する時間より長く設定したことを特徴とする請求項１または請求項２に記載の燃焼装置。
【請求項４】
前記時間計測手段は、
点火動作前、前記ファンモータの駆動開始から前記ファンモータの前記動作確認時間を計測する第１の時間計測手段と、
前記点火動作前、前記駆動開始から前記ファンモータの前記非回転確認時間を計測する第２の時間計測手段と、
前記点火動作前、前記駆動開始から前記ファンモータの前記回転異常確認時間を計測する第３の時間計測手段と、
前記給排気部の前記閉塞監視時間を計測する第４の時間計測手段と、
を備え、前記異常判定手段は、前記点火動作前、前記状態検出手段から検出情報、前記第１の時間計測手段、前記第２の時間計測手段、前記第３の時間計測手段および前記第４の時間計測手段から時間情報を受け、前記ファンモータの回転が検出されずに前記第２の時間計測手段による計測時間が前記非回転確認時間を超えた場合、前記ファンモータの回転数が所定範囲に無いまま前記第３の時間計測手段による計測時間が前記回転異常確認時間を超えた場合、消費電力値または駆動電力値が閾値未満のまま前記閉塞監視時間を超えた場合、および前記第２の時間計測手段、前記第３の時間計測手段、前記第４の時間計測手段による計測時間が前記非回転確認時間、前記回転異常確認時間、前記閉塞監視時間のいずれも超えなかった場合であっても、前記第１の時間計測手段の計測時間が前記動作確認時間内に動作確認が完了しない場合、異常と判定する、
ことを特徴とする請求項１ないし請求項３のいずれかに記載の燃焼装置。
【請求項５】
燃焼部に対して給気または排気を行う給排気部を備える燃焼装置に搭載されたコンピュータに実行させるための燃焼制御プログラムであって、
点火動作前、ファンモータの駆動開始から回転の有無と、回転数が所定範囲内であるか否かと、消費電力値または駆動電力値から前記給排気部の閉塞を検出する状態検出手段から状態情報を受け、
予め前記ファンモータの動作確認時間、前記ファンモータの非回転確認時間、前記ファンモータの回転異常確認時間および前記給排気部の閉塞監視時間が設定され、前記点火動作前、前記ファンモータの駆動開始により時間計測を開始し、
回転の有無と回転数が所定範囲内であるか否かと消費電力値または駆動電力値を表す検出情報を受け、前記ファンモータの回転が検出されないで前記非回転確認時間を経過した場合、前記ファンモータの回転数が所定範囲に無いまま前記回転異常確認時間を経過した場合、消費電力値または駆動電力値が閾値に到達せずに前記閉塞監視時間を経過した場合、および計測時間が前記非回転確認時間、前記回転異常確認時間、前記閉塞監視時間のいずれも超えなくても、前記動作確認時間を経過した場合に、異常と判定し、
前記動作確認時間を経過する前に、前記ファンモータの回転を検出し、前記ファンモータの回転数が所定範囲内且つ前記ファンモータの消費電力値または駆動電力値が閾値以上の場合に点火動作を行い、前記異常判定により点火動作を禁止する、
機能を前記コンピュータに実現させるための燃焼制御プログラム。
【請求項６】
前記ファンモータの停止操作後、前記ファンモータの回転を検出する前記状態検出手段から状態情報を受け、
前記ファンモータの停止操作後、所定時間が経過しても前記ファンモータが回転している場合、異常と判定する
機能を前記コンピュータに実現させるための請求項５に記載の燃焼制御プログラム。
【請求項７】
前記ファンモータに異常または前記給排気部に閉塞がなければ、点火手段の点火動作を許可する
機能を前記コンピュータに実現させるための請求項５または請求項６に記載の燃焼制御プログラム。
【請求項８】
燃焼部に対して給気または排気を行う給排気部を備える燃焼装置の燃焼制御方法であって、
点火動作前、ファンモータの駆動開始から回転の有無と、回転数が所定範囲内であるか否かと、消費電力値または駆動電力値から前記給排気部の閉塞を検出し、
予め前記ファンモータの動作確認時間、前記ファンモータの非回転確認時間、前記ファンモータの回転異常確認時間および前記給排気部の閉塞監視時間が設定され、前記点火動作前、前記ファンモータの駆動開始により時間計測を開始し、
回転の有無と回転数が所定範囲内であるか否かと消費電力値または駆動電力値を表す検出情報を受け、前記ファンモータの回転が検出されないで前記非回転確認時間を経過した場合、前記ファンモータの回転数が所定範囲に無いまま前記回転異常確認時間を経過した場合、消費電力値または駆動電力値が閾値に到達せずに前記閉塞監視時間を経過した場合、および計測時間が前記非回転確認時間、前記回転異常確認時間、前記閉塞監視時間のいずれも超えなくても、前記動作確認時間を経過した場合に、異常と判定し、
前記動作確認時間を経過する前に、前記ファンモータの回転を検出し、前記ファンモータの回転数が所定範囲内且つ前記ファンモータの消費電力値または駆動電力値が閾値以上の場合に点火動作を行い、前記異常判定により点火動作を禁止することを特徴とする燃焼装置の燃焼制御方法。
【発明の詳細な説明】
【技術分野】
【０００１】
本発明はたとえば、燃料ガスなどを燃焼させる燃焼装置の燃焼制御に関する。
【背景技術】
【０００２】
給湯器などの熱源機には熱源としてたとえば、燃料ガスを燃焼させる燃焼装置が用いられる。この燃焼装置では、給排気系統に燃焼に必要な空気の供給や排気を行うためのファンが備えられ、このファンを駆動するためのファンモータが備えられる。
【０００３】
このファンモータ制御に関し、異常燃焼のチェックをポストパージ時に累積燃焼時間の１０時間毎に行い、連続燃焼が５分以上と判断したとき、ファン回転数検出値、駆動電流検出値、駆動電圧検出値を用いて正常燃焼か異常燃焼かを判定することが知られている（特許文献１）。また、ファンモータの駆動電力を検出し、その検出値によりファンモータの異常を判定することが知られている（特許文献２）。
【０００４】
点火前にファンのプリパージ運転中に、給排気部が閉塞しているかの予備判定を行い、この予備判定で給排気部の閉塞がなければ、予備判定よりファンを高回転数にし、給排気部の閉塞判定を行うことが知られている（特許文献３）。
【０００５】
給気通路または排気通路の閉塞判定に関し、ファン回転数に応じて閉塞判定値を設定し、差圧センサにより検出した複数の差圧の平均差圧と、各差圧に応じて取得した複数の閉塞判定値の平均判定値とにより、平均差圧が平均判定値以下である場合、閉塞と判定することが知られている（特許文献４）。
【先行技術文献】
【特許文献】
【０００６】
【特許文献１】特開平９−１３７９４０号公報
【特許文献２】特開平１０−３０００７２号公報
【特許文献３】特開２０１３−２９２５５号公報
【特許文献４】特開２０００−３０４２５４号公報
【発明の概要】
【発明が解決しようとする課題】
【０００７】
ところで、ファンモータには、回転不能など故障、回転異常の他、給気または排気（以下「給排気」と称する）の閉塞などの動作異常がある。これらはいずれも燃焼異常を来たすので、正常な燃焼を得るには、これらを回避しなければないし、燃焼前のプリパージ時間中に異常を察知し、異常燃焼を回避しなければならいという課題がある。
【０００８】
そこで、本発明の目的は、給排気の閉塞を含む動作異常をプリパージ時間中に迅速にかつ正確に判定し、異常燃焼を回避することにある。
【課題を解決するための手段】
【０００９】
上記目的を達成するため、本発明の燃焼装置の一側面によれば、燃焼部に対して給気または排気を行う給排気部を備える燃焼装置であって、前記燃焼部に点火する点火手段と、前記給排気部に備えられたファンモータと、燃焼許可から点火動作前、前記ファンモータの駆動開始から回転の有無と、回転数が所定範囲内であるか否かと、消費電力値または駆動電力値から前記給排気部の閉塞を検出する状態検出手段と、
予め前記ファンモータの動作確認時間、前記ファンモータの非回転確認時間、前記ファンモータの回転異常確認時間および前記給排気部の閉塞監視時間が設定され、前記点火動作前、前記ファンモータの駆動開始により時間計測を開始する時間計測手段と、前記状態検出手段からの検出情報を受け、前記ファンモータの回転が検出されないで前記非回転確認時間を経過した場合、前記ファンモータの回転数が所定範囲に無いまま前記回転異常確認時間を経過した場合、消費電力値または駆動電力値が閾値に到達せずに前記閉塞監視時間を経過した場合、および前記時間計測手段による計測時間が前記非回転確認時間、前記回転異常確認時間、前記閉塞監視時間のいずれも超えなくても、前記動作確認時間を経過した場合に異常と判定する異常判定手段と、前記時間計測手段が前記動作確認時間を経過する前に、前記ファンモータの回転を検出し、前記ファンモータの回転数が所定範囲内且つ前記ファンモータの消費電力値または駆動電力値が閾値以上の場合に点火動作を行い、前記異常判定手段の異常判定により点火動作を禁止する制御手段とを備えればよい。
【００１０】
上記燃焼装置において、前記状態検出手段は、前記ファンモータの停止操作後、前記ファンモータの回転を検出し、前記異常判定手段は、前記ファンモータの停止操作後、所定時間が経過しても前記ファンモータが回転している場合、前記ファンモータを異常と判定してよい。
【００１１】
上記燃焼装置において、前記給排気部の前記閉塞監視時間は、前記非回転確認時間または前記回転異常確認時間を確認する時間より長く設定してよい。
【００１２】
上記燃焼装置において、前記時間計測手段は、点火動作前、前記ファンモータの駆動開始から前記ファンモータの前記動作確認時間を計測する第１の時間計測手段と、前記点火動作前、前記駆動開始から前記ファンモータの前記非回転確認時間を計測する第２の時間計測手段と、前記点火動作前、前記駆動開始から前記ファンモータの前記回転異常確認時間を計測する第３の時間計測手段と、前記給排気部の前記閉塞監視時間を計測する第４の時間計測手段と、を備え、前記異常判定手段は、前記点火動作前、前記状態検出手段から検出情報、前記第１の時間計測手段、前記第２の時間計測手段、前記第３の時間計測手段および前記第４の時間計測手段から時間情報を受け、前記ファンモータの回転が検出されずに前記第２の時間計測手段による計測時間が前記非回転確認時間を超えた場合、前記ファンモータの回転数が所定範囲に無いまま前記第３の時間計測手段による計測時間が前記回転異常確認時間を超えた場合、消費電力値または駆動電力値が閾値未満のまま前記閉塞監視時間を超えた場合、および前記第２の時間計測手段、前記第３の時間計測手段、前記第４の時間計測手段による計測時間が前記非回転確認時間、前記回転異常確認時間、前記閉塞監視時間のいずれも超えなかった場合であっても、前記第１の時間計測手段の計測時間が前記動作確認時間内に動作確認が完了しない場合、異常と判定してよい。
【００１３】
上記目的を達成するため、本発明の燃焼装置の燃焼制御プログラムの一側面によれば、燃焼部に対して給気または排気を行う給排気部を備える燃焼装置に搭載されたコンピュータに実行させるための燃焼制御プログラムであって、点火動作前、ファンモータの駆動開始から回転の有無と、回転数が所定範囲内であるか否かと、消費電力値または駆動電力値から前記給排気部の閉塞を検出する状態検出手段から状態情報を受け、予め前記ファンモータの動作確認時間、前記ファンモータの非回転確認時間、前記ファンモータの回転異常確認時間および前記給排気部の閉塞監視時間が設定され、前記点火動作前、前記ファンモータの駆動開始により時間計測を開始し、回転の有無と回転数が所定範囲内であるか否かと消費電力値または駆動電力値を表す検出情報を受け、前記ファンモータの回転が検出されないで前記非回転確認時間を経過した場合、前記ファンモータの回転数が所定範囲に無いまま前記回転異常確認時間を経過した場合、消費電力値または駆動電力値が閾値に到達せずに前記閉塞監視時間を経過した場合、および計測時間が前記非回転確認時間、前記回転異常確認時間、前記閉塞監視時間のいずれも超えなくても、前記動作確認時間を経過した場合に、異常と判定し、前記動作確認時間を経過する前に、前記ファンモータの回転を検出し、前記ファンモータの回転数が所定範囲内且つ前記ファンモータの消費電力値または駆動電力値が閾値以上の場合に点火動作を行い、前記異常判定により点火動作を禁止する機能を前記コンピュータに実現させる。
【００１４】
上記燃焼制御プログラムにおいて、前記ファンモータの停止操作後、前記ファンモータの回転を検出する前記状態検出手段から状態情報を受け、前記ファンモータの停止操作後、所定時間が経過しても前記ファンモータが回転している場合、異常と判定する機能を備えてよい。
【００１５】
上記燃焼制御プログラムにおいて、前記ファンモータに異常または前記給排気部に閉塞がなければ、点火手段の点火動作を許可する機能を備えてよい。
【００１６】
上記目的を達成するため、本発明の燃焼装置の燃焼制御方法の一側面によれば、燃焼部に対して給気または排気を行う給排気部を備える燃焼装置の燃焼制御方法であって、点火動作前、ファンモータの駆動開始から回転の有無と、回転数が所定範囲内であるか否かと、消費電力値または駆動電力値から前記給排気部の閉塞を検出し、予め前記ファンモータの動作確認時間、前記ファンモータの非回転確認時間、前記ファンモータの回転異常確認時間および前記給排気部の閉塞監視時間が設定され、前記点火動作前、前記ファンモータの駆動開始により時間計測を開始し、回転の有無と回転数が所定範囲内であるか否かと消費電力値または駆動電力値を表す検出情報を受け、前記ファンモータの回転が検出されないで前記非回転確認時間を経過した場合、前記ファンモータの回転数が所定範囲に無いまま前記回転異常確認時間を経過した場合、消費電力値または駆動電力値が閾値に到達せずに前記閉塞監視時間を経過した場合、および計測時間が前記非回転確認時間、前記回転異常確認時間、前記閉塞監視時間のいずれも超えなくても、前記動作確認時間を経過した場合に、異常と判定し、前記動作確認時間を経過する前に、前記ファンモータの回転を検出し、前記ファンモータの回転数が所定範囲内且つ前記ファンモータの消費電力値または駆動電力値が閾値以上の場合に点火動作を行い、前記異常判定により点火動作を禁止する。
【発明の効果】
【００１７】
本発明によれば、次のいずれかの効果が得られる。
【００１８】
(1) 燃焼許可から燃焼前の僅かなプリパージ時間などの限られた時間において、ファンモータの非回転、回転異常または給排気部の閉塞を判定し、この判定結果により、異常があれば点火動作を禁止し、異常がなければ点火動作を行い、異常燃焼などの誤動作を未然に防止できる。
【００１９】
(2) しかも、プリパージ時間の所定時間内で動作確認が完了しなければ、同様に、動作異常として点火動作を禁止でき、誤動作を未然に防止できる。
【００２０】
(3) プリパージ時間でファンモータの故障を事前に確認でき、点火動作に移行する前にファンモータの動作を停止できる。
【００２１】
(4) プリパージ時間でファンモータやその駆動回路に故障があれば、点火前の事前確認で発見でき、点火動作に移行する前にファンモータの動作を停止できる。
【００２２】
(5) ファンの損傷や給排気部の閉塞があれば、点火前の事前確認で発見でき、点火動作に移行する前にファンモータの動作を停止できる。
【図面の簡単な説明】
【００２３】
【図１】一実施の形態に係る燃焼装置の一例を示す図である。
【図２】燃焼装置の燃焼制御プログラムの処理手順の一例を示すフローチャートである。
【図３】燃焼装置の実施例に係る給湯装置の一例を示す図である。
【図４】状態検出回路の一例を示す図である。
【図５】給湯制御部の一例を示す図である。
【図６】燃焼制御プログラムの一例である燃焼シーケンスの一例を示すフローチャートである。
【図７】各部の制御タイミングを示すタイミングチャートである。
【図８】閉塞判定の処理手順を示すフローチャートである。
【発明を実施するための形態】
【００２４】
＜燃焼装置＞
【００２５】
図１は、一実施の形態に係る燃焼装置を示している。この燃焼装置２にはたとえば、燃料ガスＧなどを燃焼させる燃焼部４が備えられる。この燃焼部４にはたとえば、バーナーが備えられ、このバーナーで燃料ガスＧを燃焼させる。この燃焼部４に対し、点火手段６および給排気部８が備えられる。
【００２６】
点火手段６は制御手段１０で制御され、燃焼部４のたとえば、バーナーに点火する。この制御手段１０にはたとえば、コンピュータを用いればよい。給排気部８は燃焼部４に対し燃焼のための給気や燃焼排気を外気に放出する。この給排気部８にはシロッコファンなどのファンを回転させるファンモータ（以下、「ＦＭ」と称する）１２が備えられている。
【００２７】
このＦＭ１２に併設された状態検出手段１４は、点火手段６の点火動作前、ＦＭ１２の駆動開始から非回転、回転異常または給排気部８の閉塞をＦＭ１２のたとえば、駆動電流により検出する。この状態検出手段１４はＦＭ１２の停止操作後、ＦＭ１２が停止しているか回転しているかを検出する機能を備えてよい。この状態検出手段１４に得られる状態情報は、異常判定手段１６に加えられ、異常判定に用いられる。
【００２８】
異常判定手段１６は、状態検出手段１４からの検出情報により、ＦＭ１２の回転不能、回転異常、または吸排気部８の閉塞を判断し、または動作確認時間内に動作確認が完了しない場合に異常と判定する。この異常判定手段１６には制御手段１０と同様に、コンピュータを用いてよい。
【００２９】
そして、制御手段１０は、異常判定手段１６の異常判定により、点火手段６の点火動作を禁止または停止し、異常判定手段１６が異常と判定しなければ、点火手段６の点火動作を許可する。この実施の形態では、制御手段１０が異常判定手段１６を含んでいるが、この異常判定手段１６を制御手段１０の外部に備えてもよい。
【００３０】
＜燃焼装置２の燃焼制御＞
【００３１】
図２は、燃焼装置２の燃焼制御の処理手順の一例を示している。この処理手順は、燃焼装置２の動作の処理手順であり、本発明の燃焼制御方法、燃焼装置２に搭載されるコンピュータに実行させるための燃焼制御プログラムの処理手順の一例である。
【００３２】
この処理手順では、燃焼許可かを判定し（Ｓ１０１）、燃焼許可が出るまで待機状態となる。この待機状態から燃焼許可に移行すると（Ｓ１０１のＹＥＳ）、燃焼許可を契機に点火動作前の所定時間内にＦＭ１２の回転不能、回転異常または給排気部８の閉塞などの状態情報の検出を行う（Ｓ１０２）。燃焼許可の時点から点火動作に至るまでの点火前動作の時間はたとえば、いわゆるプリパージ時間である。
【００３３】
このプリパージ時間において、状態情報の取込みを行い（Ｓ１０３）、ＦＭ１２は回転不能か（Ｓ１０４）、回転異常か（Ｓ１０５）、または給排気部８は閉塞か（Ｓ１０６）、点火動作前に動作確認が未完了か（Ｓ１０７）を判定する。
【００３４】
ＦＭ１２が回転不能（Ｓ１０４のＹＥＳ）、回転異常（Ｓ１０５のＹＥＳ）、または給排気部８が閉塞（Ｓ１０６のＹＥＳ）、点火動作前に動作確認が未完了（Ｓ１０７のＹＥＳ）であれば、異常判定手段１６が動作異常と判定し（Ｓ１０８）、制御手段１０が点火動作を禁止する（Ｓ１０９）。
【００３５】
ＦＭ１２の回転不能がなければ（Ｓ１０４のＮＯ）、回転異常がなければ（Ｓ１０５のＮＯ）、または給排気部８に閉塞がなければ（Ｓ１０６のＮＯ）、または点火動作前に動作確認＝完了であれば（Ｓ１０７のＮＯ）、異常判定手段１６は正常と判定し（Ｓ１１０）、制御手段１０が点火動作を許可する（Ｓ１１１）。
【００３６】
＜一実施の形態の効果＞
【００３７】
一実施の形態によれば、以下の効果が得られる。
【００３８】
(1) 燃焼許可から点火動作前のプリパージ時間などの限られた僅かな時間において、ファンモータの非回転、回転異常または給排気部の閉塞を判定できる。
【００３９】
(2) しかも、たとえば、プリパージ時間内の所定時間内で動作確認が完了しなければ、同様に、動作異常と判定できる。
【００４０】
(3) これらの判定結果により、異常があれば点火動作を禁止し、異常がなければ点火動作を行い、異常燃焼などの誤動作を未然に防止できる。
【００４１】
(4) プリパージ時間などの限られた時間内でファンモータの故障を事前に確認でき、点火動作に移行する前にファンモータの動作を停止できる。
【００４２】
(5) プリパージ時間でファンモータやその駆動回路に故障を点火前の事前確認で発見でき、故障を発見すれば、点火動作に移行する前にファンモータの動作を停止できる。
【００４３】
(6) ファンの損傷や給排気部の閉塞があれば、点火前の事前確認で発見でき、点火動作に移行する前にファンモータの動作を停止でき、安全性が高められる。
【実施例】
【００４４】
＜給湯装置＞
【００４５】
図３は、既述の燃焼装置の一実施例である給湯装置を示している。図３に示す給湯装置は一例であって、斯かる構成に本発明の燃焼装置が限定されるものではない。
【００４６】
この給湯装置２２には燃焼室２４が備えられる。この燃焼室２４には既述の給排気部８の一例として、燃焼室２４の下部に給気部２６−１、その上部に排気部２６−２、これら給気部２６−１と排気部２６−２の間の空間部にバーナー２８および熱交換器３０が備えられる。
【００４７】
バーナー２８には燃料通路３２から燃料ガスＧが供給され、この燃料ガスＧの供給量は電磁弁３４によって制御される。このバーナー２８に対して点火手段６の一例としてイグナイタ３６が備えられる。このイグナイタ３６によってバーナー２８から流出する燃料ガスＧに着火することができる。
【００４８】
給気部２６−１には給排気用ファン３８が備えられ、この給排気用ファン３８はファンモータ（以下、「ＦＭ」と称する）４０によって回転する。給排気用ファン３８にはたとえば、シロッコファンを用いればよい。ＦＭ４０は正常時、バーナー２８の燃焼開始、燃焼中に回転させ、バーナー２８側に燃焼用空気を供給する。
【００４９】
バーナー２８で生じた燃焼排気ＥＧは熱交換器３０を通過して排気部２６−２に流れ、排気筒４２から外気に放出される。熱交換器３０には給水管４４−１から上水Ｗが供給され、この上水Ｗと燃焼排気ＥＧとの熱交換が行われ、温水ＨＷが給湯管４４−２から出湯可能である。上水Ｗの給水量または出湯量は水量センサ４６によって検出される。この例では、上水Ｗを加熱しているが、上水Ｗに代えて熱媒であってもよい。
【００５０】
このような給湯装置２２において、第１および第２の電源回路４８−１、４８−２、状態検出回路５０、給湯制御部５２および表示部５４が備えられる。
【００５１】
電源回路４８−１は、ＦＭ４０に対し、駆動電力として駆動電圧Ｖｄおよび駆動電流Ｉｄを付与する。このＦＭ４０の駆動電力または消費電力は、駆動電圧Ｖｄおよび駆動電流Ｉｄから求められる。電源回路４８−２は、電源回路４８−１と独立し、給湯制御部５２のファン制御部５６−１に給電する。
【００５２】
状態検出回路５０は状態検出手段１４の一例であり、駆動電圧Ｖｄおよび駆動電流Ｉｄから求められる電力を用いることにより、ＦＭ４０の駆動状態つまり、ＦＭ４０の回転不能、回転異常、給排気の閉塞などの状態を検出し、これら状態情報を出力する。
【００５３】
給湯制御部５２には一例として、ファン制御部５６−１、燃焼制御部５６−２およびプリチェックタイマー５８−１、ＦＭｏｆｆ故障監視タイマー５８−２、ＦＭ回転異常監視タイマー５８−３、閉塞監視タイマー５８−４が備えられる。
【００５４】
ファン制御部５６−１は、状態検出回路５０からの状態検出情報、プリチェックタイマー５８−１、ＦＭｏｆｆ故障監視タイマー５８−２、ＦＭ回転異常監視タイマー５８−３または閉塞監視タイマー５８−４からの時間情報を用いて異常判定を行う異常判定手段であるとともに、ＦＭ４０の駆動制御を行い、判定結果を燃焼制御部５６−２に提供する。つまり、ファン制御部５６−１は、異常判定手段１６の一例であり、プリパージ時間すなわち、燃焼許可から点火動作前、ＦＭ４０の駆動開始から回転不能、回転異常、給排気閉塞、所定時間内に動作確認が完了しないなどの異常を判定し、異常時、ＦＭ４０の駆動を禁止する。
【００５５】
プリチェックタイマー５８−１は第１の時間計測手段の一例であり、ＦＭ４０の駆動開始からＦＭ４０の動作確認時間Ｔ１を計測する。ＦＭｏｆｆ故障監視タイマー５８−２は第２の時間計測手段の一例であり、ＦＭ４０の駆動開始からＦＭ４０の非回転確認時間Ｔ２を計測する。ＦＭ回転異常監視タイマー５８−３は第３の時間計測手段の一例であり、ＦＭ４０の駆動開始からＦＭ４０の回転異常確認時間Ｔ３を計測する。閉塞監視タイマー５８−４は第４の時間計測手段の一例であり、給気部２６−１または排気部２６−２のたとえば、閉塞監視時間Ｔ４を計測する。
【００５６】
燃焼制御部５６−２は燃焼許可に応じて電磁弁３４を開くとともに、イグナイタ３６を動作させるが、ファン制御部５６−１からの異常判定出力により、点火動作を禁止する。正常時には点火動作を許可し、給水量に応じて電磁弁３４の開度を制御する。
【００５７】
そして、給湯制御部５２では、ファン制御部５６−１の異常判定、ファン制御部５６−１および燃焼制御部５６−２の動作状態を表す出力が得られ、この出力が表示部５４に提供されて表示される。表示部５４は異常を警告する警報手段の一例である。この表示部５４には給湯情報、燃焼情報の表示、閉塞時のアラーム表示などが画像により表示される。この表示部５４にはたとえば、インジケータを用いてもよく、発光ダイオードやランプを用いればよい。
【００５８】
＜状態検出回路５０＞
【００５９】
図４は、状態検出回路５０の一例を示している。この状態検出回路５０には、給排気の閉塞を電気的に検出する閉塞検知回路６０が含まれている。この閉塞検知回路６０では、アナログ信号をＰＷＭ処理してデジタル回路に伝送する回路が構成されている。
【００６０】
この閉塞検知回路６０には発振回路６２、電圧検出回路６４、電流検出回路６６、電圧パルス出力部６８−１および電流パルス出力部６８−２が備えられる。これら回路部はアナログ回路で構成され、これに対し、ファン制御部５６−１はデジタル回路で構成される。
【００６１】
発振回路６２は連続する一定周期の三角波信号を発振する。この三角波信号は電圧検出回路６４および電流検出回路６６に加えられる。電圧検出回路６４は、ＦＭ４０の駆動用端子に加えられる駆動電圧Ｖｄを検出し、この駆動電圧Ｖｄを三角波信号との変調処理（ＰＷＭ処理）によりパルス信号Ｓ１に変換する。この電圧検出回路６４では、駆動電圧Ｖｄの変化レベルを三角波信号の変化範囲内にレベル調整を行う。この駆動電圧Ｖｄは三角波信号で変調し、駆動電圧Ｖｄのレベルに対応したパルス幅を持つパルス信号Ｓ１に変換される。つまり、このパルス信号Ｓ１は、閉塞検知信号Ｓのうち駆動電圧レベルを表すパルス信号である。
【００６２】
電流検出回路６６は、ＦＭ４０のたとえば、ＧＮＤ端子に流れる駆動電流Ｉｄを検出し、三角波信号との変調処理（ＰＷＭ処理）により第２のパルス信号Ｓ２に変換する。この電流検出回路６６では、駆動電流Ｉｄのレベル変化を三角波信号の変化範囲内にレベル調整を行う。この駆動電流Ｉｄは三角波信号で変調し、駆動電流レベルを表すパルス幅のパルス信号Ｓ２に変換される。つまり、このパルス信号Ｓ２は閉塞検知信号Ｓのうち駆動電流レベルを表すパルス信号である。
【００６３】
パルス信号Ｓ１は、電圧パルス出力部６８−１により電圧検出回路６４と絶縁されてファン制御部５６−１に加えられる。同様に、パルス信号Ｓ２は、電流パルス出力部６８−２により電流検出回路６６と絶縁されてファン制御部５６−１に加えられる。
【００６４】
ファン制御部５６−１ではパルス信号Ｓ１、Ｓ２を用いてＦＭ４０の電力を演算し、この電力値から給排気の判定を行う。この判定結果により、閉塞時、給排気の閉塞を表すアラーム出力が得られ、このアラーム出力により表示部５４には給排気の閉塞を表すアラーム情報が表示される。
【００６５】
＜給湯制御部５２＞
【００６６】
図５は、給湯制御部５２の一例を示している。この給湯制御部５２はたとえば、コンピュータで構成されている。この給湯制御部５２には、プロセッサ７０、メモリ部７２、システム通信部７４、入出力部（Ｉ／Ｏ）７６およびプリチェックタイマー５８−１、ＦＭｏｆｆ故障監視タイマー５８−２、ＦＭ回転異常監視タイマー５８−３、閉塞監視タイマー５８−４が備えられる。
【００６７】
プロセッサ７０は、メモリ部７２にあるＯＳ（Operating System）や燃焼制御プログラムを実行し、ＦＭ４０の異常や給排気閉塞を判定し、点火禁止、燃焼許可などの燃焼制御や、情報表示の制御を行う。
【００６８】
メモリ部７２は、各種プログラムの記憶や、異常情報の記録、履歴情報などを格納する。このメモリ部６２にはＲＯＭ（Read-Only Memory）、ＲＡＭ（Random-Access Memory）などの記録媒体が用いられ、半導体メモリやハードディスクなどの記録媒体を用いればよい。
【００６９】
システム通信部７４は、プロセッサ７０の制御により、リモコン装置６８−１、６８−２との通信、情報の授受を行う。リモコン装置６８−１はたとえば、浴室リモコンであり、リモコン装置６８−２はたとえば、台所リモコンである。
【００７０】
Ｉ／Ｏ７６は、状態検出回路５０からの検出情報、水量センサ４６の検出給水量、その他センサや機能部からの情報の取込み、電磁弁３４、イグナイタ３６、ＦＭ４０、電源回路４８−１、４８−２、表示部５４などの機能部に対して制御情報を出力する。
【００７１】
プリチェックタイマー５８−１、ＦＭｏｆｆ故障監視タイマー５８−２、ＦＭ回転異常監視タイマー５８−３および閉塞監視タイマー５８−４は、プロセッサ６０により制御され、既述の時間を個別に計測し、その計測結果をプロセッサ７０に提供する。
【００７２】
＜燃焼シーケンスの処理手順＞
【００７３】
図６は、燃焼シーケンスの処理手順を示している。
【００７４】
この処理手順では、点火動作の移行前に燃焼許可の生起を監視する（Ｓ２０１）。燃焼許可がなければ（Ｓ２０１のＮＯ）、待機状態となり、この待機状態で燃焼許可の生起を継続的に監視する（Ｓ２０１）。燃焼許可があれば（Ｓ２０１のＹＥＳ）、前回燃焼のＦＭ４０の停止後、所定時間Ｔａとしてたとえば、Ｔａ＝１５〔秒〕が経過したかを判定する（Ｓ２０２）。
【００７５】
（ＦＭｏｎ故障アラーム処理への移行判断）
【００７６】
ＦＭ４０の駆動停止後、所定時間Ｔａが経過した後（Ｓ２０２のＹＥＳ）、ＦＭ４０の回転数を判定する（Ｓ２０３）。ＦＭ４０の駆動を停止させても、ＦＭ４０が回転していれば、ＦＭｏｎ故障のおそれがある。
【００７７】
ＦＭ４０が回転していれば（Ｓ２０３のＹＥＳ）、所定時間Ｔｂとしてたとえば、Ｔｂ＝２０〔秒〕の間（Ｓ２０４）、ＦＭ４０の回転数を継続的に判定する（Ｓ２０３）。ＦＭ４０の回転が所定時間Ｔｂだけ継続すれば（Ｓ２０４のＹＥＳ）、ＦＭ４０のＦＭｏｎ故障アラーム処理に移行する（Ｓ２０５）。
【００７８】
（プリチェック処理への移行判断）
【００７９】
Ｓ２０２において、ＦＭ４０の停止後、所定時間Ｔａが経過していなければ（Ｓ２０２のＮＯ）、Ｓ２０３をスキップしてプリチェック処理に移行し、また、Ｓ２０３において、ＦＭ４０が回転していなければ（Ｓ２０３のＮＯ）、プリチェック処理に移行する。
【００８０】
この処理に移行すると、プリチェックタイマー５８−１を初期値０から計時をスタートさせ（Ｓ２０６）、ＦＭ４０＝ＯＮとし（Ｓ２０７）、ＦＭ４０の回転を開始させる。
【００８１】
このＦＭ４０の回転を契機に、ＦＭｏｆｆ故障監視タイマー５８−２、ＦＭ回転異常監視タイマー５８−３および閉塞監視タイマー５８−４の全てを初期値０から計時をスタートさせる（Ｓ２０８）。
【００８２】
プリチェックタイマー５８−１の計時開始から所定時間Ｔ１としてたとえば、Ｔ１＝１２０〔秒〕が経過したかを判定する（Ｓ２０９）。プリチェックタイマー５８−１が所定時間Ｔ１を計時すれば（Ｓ２０９のＹＥＳ）、プリチェックアラーム処理へ移行する（Ｓ２１０）。
【００８３】
（ＦＭｏｆｆ故障アラーム処理への移行判断）
【００８４】
プリチェックタイマー５８−１が所定時間Ｔ１の経過前（Ｓ２０９のＮＯ）、ＦＭ４０が回転しているかを判定する（Ｓ２１１）。
【００８５】
ＦＭ４０が回転していなければ（Ｓ２１１のＮＯ）、閉塞監視タイマー５８−４の計時時間を０にリセットし（Ｓ２１２）、ＦＭｏｆｆ故障監視タイマー５８−２の監視時間Ｔ２としてたとえば、Ｔ２＝２０〔秒〕が経過したかを判定する（Ｓ２１３）。ＦＭｏｆｆ故障監視タイマー５８−２の監視時間Ｔ２の経過前には（Ｓ２１３のＮＯ）、Ｓ２０９に戻り、Ｓ２０９、Ｓ２１１、Ｓ２１２、Ｓ２１３の処理を行う。ＦＭｏｆｆ故障監視タイマー５８−２の監視時間Ｔ２が経過しても（Ｓ２１３のＹＥＳ）、ＦＭ４０が回転していなければ（Ｓ２１１のＮＯ）、ＦＭｏｆｆ故障アラーム処理へ移行する（Ｓ２１４）。
【００８６】
（ＦＭ回転異常アラーム処理への移行判断）
【００８７】
ＦＭ４０が回転していれば（Ｓ２１１のＹＥＳ）、ＦＭｏｆｆ故障監視タイマー５８−２の計時時間を０にリセットし（Ｓ２１５）、プリパージ時間Ｔ５の経過を判定する（Ｓ２１６）。ここで、プリパージ時間Ｔ５は燃焼開始タイミングや前回の消火状態によって設定される時間であり、この時間中、ＦＭ４０による送風のみが行われる。プリパージ時間が経過する前（Ｓ２１６のＮＯ）、Ｓ２０９に戻り、Ｓ２１１、Ｓ２１５、Ｓ２１６の処理を実行する。プリパージ時間Ｔ５が経過すれば（Ｓ２１６のＹＥＳ）、ＦＭ４０の回転数ＮがＮｆ±ΔＮ〔ｒｐｍ〕の範囲にあるかを判定する（Ｓ２１７）。所定回転数Ｎｆはたとえば、Ｎｆ＝４０００〔ｒｐｍ〕、変動範囲ΔＮはたとえば、ΔＮ＝１００〔ｒｐｍ〕とすればよい。
【００８８】
ＦＭ４０の回転数ＮがＮｆ±ΔＮ〔ｒｐｍ〕の範囲になければ（Ｓ２１７のＮＯ）、ＦＭ回転異常監視タイマー５８−３の監視時間Ｔ３としてたとえば、Ｔ３＝２０〔秒〕が経過したかを判定する（Ｓ２１８）。ＦＭ回転異常監視タイマー５８−３の監視時間Ｔ３が経過するまで（Ｓ２１８のＮＯ）、Ｓ２０９に戻り、Ｓ２１１、Ｓ２１５、Ｓ２１６、Ｓ２１７、Ｓ２１８を継続して実行し、ＦＭ４０の回転数ＮがＮｆ±ΔＮ〔ｒｐｍ〕の範囲に到達することなく、ＦＭ回転異常監視タイマー５８−３の監視時間Ｔ３が経過すれば（Ｓ２１８のＹＥＳ）、ＦＭ回転異常アラーム処理へ移行する（Ｓ２１９）。この場合、他の処理として、Ｓ２１６の実行前にＳ２１７、Ｓ２２０を移動した処理順序にし、プリパージ時間Ｔ５の経過前にＦＭ回転異常の監視を行ってもよい。
【００８９】
（給排気閉塞アラーム処理への移行判断）
【００９０】
ＦＭ４０の回転数ＮがＮｆ±ΔＮ〔ｒｐｍ〕の範囲にあれば（Ｓ２１７のＹＥＳ）、ＦＭ回転異常監視タイマー５８−３の計時時間を０にリセットし（Ｓ２２０）、ＦＭ電力が閾値以上かを判定する（Ｓ２２１）。ＦＭ電力が閾値以上でなければ（Ｓ２２１のＮＯ）、閉塞監視タイマー５８−４の監視時間Ｔ４としてたとえば、Ｔ４＝１００〔秒〕の期間、ＦＭ電力値を監視する。つまり、閉塞監視タイマー５８−４の監視時間Ｔ４が経過するまで（Ｓ２２２のＮＯ）、Ｓ２０９、Ｓ２１１、Ｓ２１５、Ｓ２１６、Ｓ２１７、Ｓ２２０、Ｓ２２１、Ｓ２２２を繰り返し実行する。そして、ＦＭ電力値が閾値以上になることなく、閉塞監視タイマー５８−４の監視時間Ｔ４が経過すれば（Ｓ２２２のＹＥＳ）、給排気閉塞アラーム処理に移行する（Ｓ２２３）。
【００９１】
（点火動作への移行）
【００９２】
ＦＭ電力が閾値以上に到達すれば（Ｓ２２１のＹＥＳ）、点火動作へ移行する（Ｓ２２４）。
【００９３】
＜チェックシーケンスの処理タイミング＞
【００９４】
図７のＡ〜Ｐは燃焼制御におけるチェックシーケンスのタイミングを示している。
【００９５】
このチェックシーケンスには、ＦＭｏｆｆ故障アラーム処理、ＦＭ回転異常アラーム処理、給排気閉塞アラーム処理およびプリチェックアラーム処理が含まれる。図７において、Ａ〜ＤはＦＭｏｆｆ故障アラーム処理タイミング、Ｅ〜ＨはＦＭ回転異常アラーム処理タイミング、Ｉ〜Ｌは給排気閉塞アラーム処理タイミング、Ｍ〜Ｐはプリチェックアラーム処理タイミングを示している。
【００９６】
Ａ、Ｅ、ＩおよびＭはＦＭｏｆｆ故障監視タイマー５８−２の計測時間、Ｂ、Ｆ、ＪおよびＮはＦＭ回転異常監視タイマー５８−３の計測時間、Ｃ、Ｇ、ＫおよびＯは閉塞監視タイマー５８−４の計測時間、Ｄ、Ｈ、ＬおよびＰはプリチェックタイマー５８−１の計測時間を示している。各計測時間において、Ｈは計時中、Ｌは計時終了を示している。
【００９７】
ａ）ＦＭｏｆｆ故障アラーム処理
【００９８】
図７のＡ〜Ｄに示すように、ＦＭ４０の回転がないとき（Ｓ２１１のＮＯ）、ＦＭｏｆｆ故障監視タイマー５８−２が監視時間Ｔ２＝２０〔秒〕を計時すれば（Ｓ２１３のＹＥＳ）、ＦＭｏｆｆ故障アラーム処理に移行させる。
【００９９】
ｂ）ＦＭ回転異常アラーム処理
【０１００】
図７のＥ〜Ｈに示すように、プリチェックタイマー５８−１が所定時間Ｔ１＝１２０〔秒〕を計時する前（Ｓ２０９のＮＯ）、ＦＭ４０の回転があっても（Ｓ２１１のＹＥＳ）、また、プリパージ時間Ｔ５が経過しても（Ｓ２１６のＹＥＳ）、ＦＭ４０の回転に異常があり（Ｓ２１７のＮＯ）、ＦＭ回転異常監視タイマー５８−３が監視時間Ｔ３を計時すれば（Ｓ２１８のＹＥＳ）、ＦＭ回転異常アラーム処理に移行させる。
【０１０１】
ｃ）給排気閉塞アラーム処理
【０１０２】
図７のＩ〜Ｌに示すように、ＦＭｏｆｆ故障監視タイマー５８−２、ＦＭ回転異常監視タイマー５８−３の計測時間が終了しても、プリチェックタイマー５８−１の計測時間に閉塞監視タイマー５８−４の計測時間が到達すると、給排気が異常であり、給排気閉塞と判定し、給排気閉塞アラーム処理を実行する。
【０１０３】
ｄ) プリチェックアラーム処理
【０１０４】
図７のＭ〜Ｐに示すように、ＦＭｏｆｆ故障監視タイマー５８−２が監視時間Ｔ２＝２０〔秒〕の計測前にＦＭ４０の回転があり、ＦＭ回転異常監視タイマー５８−３が監視時間Ｔ３の計測前にＦＭ４０の回転数Ｎが正常回転数になっても、閉塞監視タイマー５８−４の計測中にＦＭ４０の回転異常や停止が発生し、さらに異常と判定する前に復旧する状態を繰り返しても、図７のＰに示すように、プリチェックタイマー５８−１が所定時間Ｔ１＝１２０〔秒〕を計測すれば（Ｓ２０９）、プリチェックアラーム処理に移行する。
【０１０５】
＜給排気の閉塞判定の処理手順＞
【０１０６】
図８は、給排気の閉塞判定の処理手順を示している。この処理手順は、バーナー２８の点火シーケンスの前段階で実行される。この処理手順では、点火前、ＦＭ４０の運転開始を実行する（Ｓ３０１）。ＦＭ４０の目標回転数Ｎ１はたとえば、Ｎ１＝４０００〔ｒｐｍ〕である。このＦＭ４０の所定回転数をＮとし、この所定回転数Ｎは、目標回転数Ｎ１に増減変動回転数±ｎを考慮し、たとえば、Ｎ＝Ｎ１±ｎ＝４０００±１００〔ｒｐｍ〕とすればよい。
【０１０７】
点火時、ＦＭ４０の回転数を検出し、この検出回転数Ｎｓが所定回転数Ｎの範囲内であるかを判断する（Ｓ３０２）。Ｎｓ＝Ｎ１±ｎ＝４０００±１００〔ｒｐｍ〕であれば（Ｓ３０２のＹＥＳ）、正常回転数である。この場合、ＦＭ１６に消費される電力値Ｐｄを算出する（Ｓ３０３）。
【０１０８】
この電力値Ｐｄは、既述のパルスＳ１、Ｓ２を用いて演算する。つまり、電力値Ｐｄは、ＦＭ４０の駆動電圧Ｖｄと駆動電流Ｉｄより、式(1) から算出すればよい。
Ｐｄ＝Ｖｄ×Ｉｄ                            ・・・(1) 
【０１０９】
この電力値Ｐｄが閾値Ｐｒｅｆ以上であるかを判断する（Ｓ３０４）。給排気に閉塞が生じているとき、ＦＭ４０の消費電力が低下する。したがって、閾値Ｐｒｅｆは、給排気の閉塞を表す消費電力を表す電力値に設定すればよい。
【０１１０】
Ｐｄ≧Ｐｒｅｆであれば（Ｓ３０４のY E S ）、閉塞なしと判定する（Ｓ３０５）。この閉塞なしの判定結果を受け、点火動作に移行する（Ｓ３０６）。つまり、閉塞なしの正常な給排気状態で点火動作が実行される。
【０１１１】
Ｐｄ＜Ｐｒｅｆであれば（Ｓ３０４のＮＯ）、閉塞の疑いがある。この場合、ＦＭ運転開始から一定の閉塞監視時間Ｔ１０１が経過したかを判断する（Ｓ３０７）。閉塞監視時間Ｔ１０１が経過前（Ｓ３０７のＮＯ）、Ｓ３０７からＳ３０２に戻り、Ｓ３０３、Ｓ３０４の処理を閉塞監視時間Ｔ１０１が経過するまで繰り返し実行する。閉塞なしの判定が得られず、閉塞監視時間Ｔ１０１が経過すれば（Ｓ３０７のＹＥＳ）、閉塞ありと判定し（Ｓ３０８）、アラーム処理に移行する（Ｓ３０９）。このアラーム処理では、給排気の閉塞が生じていることを表示部５４に表示し、ユーザに閉塞ありを告知する。この表示情報は、閉塞ありに基づく点火不可を告知する形態でもよい。
【０１１２】
Ｓ３０２において、Ｎｓ≠Ｎ１±ｎ＝４０００±１００〔ｒｐｍ〕、つまり、Ｎｓ＜Ｎ１−ｎ＝４０００−１００〔ｒｐｍ〕またはＮｓ＞Ｎ１＋ｎ＝４０００＋１００〔ｒｐｍ〕であれば、ＦＭ４０に異常の疑いがある。この場合、ＦＭ運転開始から一定の回転監視時間Ｔ１０２が経過したかを判断する（Ｓ３１０）。回転監視時間Ｔ１０２が経過前（Ｓ３１０のＮＯ）、Ｓ３１０からＳ３０２に戻り、回転監視時間Ｔ１０２が経過するまでＦＭ４０の回転を監視する（Ｓ３０２）。この回転監視時間Ｔ１０２内でＮｓ＝Ｎ１±ｎ＝４０００±１００〔ｒｐｍ〕の判定が得られず、回転監視時間Ｔ１０２が経過すれば（Ｓ３１０のＹＥＳ）、ＦＭ４０の故障と判定し（Ｓ３１１）、アラーム処理に移行する（Ｓ３１２）。このアラーム処理では、ＦＭ４０の故障を表示部５４に表示し、ユーザにＦＭ故障を告知する。この表示情報は、ＦＭ故障に基づく点火不可を告知する形態でもよい。
【０１１３】
＜実施例の効果＞
【０１１４】
この実施例によれば、次のような効果が得られる。
【０１１５】
(1) 給湯器の燃焼開始から実際の燃焼が行われるまでのプリパージ時間中に、ＦＭ関連の動作確認を行うことができる。
【０１１６】
(2) この動作確認にはＦＭｏｆｆ故障、ＦＭ回転異常、給排気閉塞の項目が含まれるので、プリパージ時間の短時間で多面的な動作確認が行える。
【０１１７】
(3) 各動作確認では所定時間中に異常状態が継続すると異常と判定し、異常処理に移行し、点火動作の実行を阻止する。これにより、安全性が確保される。
【０１１８】
(4)それぞれの異常状態が異常と判定される前に状態変化を想定し、異常処理への移行を防止でき、動作確認の信頼性を確保できる。
【０１１９】
(5) 異常判定に到達しないが、いずれかが異常状態を示している状態が所定時間（たとえば、１２０秒）継続すると、プリチェック異常と判定し、異常処理に移行するので、信頼性のある動作確認が行える。
【０１２０】
(6) 異常判定前の異常状態の繰り返しループの防止とともに、判定しきれなかった異常状態を異常と判定するので、動作確認、異常判定の信頼性の向上を図れる。
【０１２１】
〔他の実施の形態〕
【０１２２】
上記実施の形態では、熱源機として給湯器を例示して説明したが、本発明は給湯器に限定されるものではない。給排気を伴うガス燃焼の他、液体燃料の燃焼制御についても本発明は同様に適用できる。
【０１２３】
以上説明したように、本発明の技術の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【０１２４】
本発明によれば、たとえば、燃料ガスなどを燃焼させる燃焼装置の燃焼制御において、給排気の閉塞を含む動作異常をプリパージ時間中に迅速にかつ正確に判定し、この判定結果により、異常があれば点火動作を禁止し、異常がなければ点火動作を行い、異常燃焼などの誤動作を未然に防止でき、安全性の高い燃焼装置を実現できる。
【符号の説明】
【０１２５】
２  燃焼装置
４  燃焼部
６  点火手段
８  給排気部
１０  制御手段
１２  ファンモータ
１４  状態検出手段
１６  異常判定手段
２２  給湯装置
２４  燃焼室
２６−１  給気部
２６−２  排気部
２８  バーナー
３０  熱交換器
３２  燃料通路
３４  電磁弁
３６  イグナイタ
３８  給排気用ファン
４０  ＦＭ
４２  排気筒
４４−１  給水管
４４−２  給湯管
４６  水量センサ
４８−１  第１の電源回路
４８−２  第２の電源回路
５０  状態検出回路
５２  給湯制御部
５４  表示部
５６−１  ファン制御部
５６−２  燃焼制御部
５８−１  プリチェックタイマー
５８−２  ＦＭｏｆｆ故障監視タイマー
５８−３  ＦＭ回転異常監視タイマー
５８−４  閉塞監視タイマー
６０  閉塞検知回路
６２  発信回路
６４  電圧検出回路
６６  電流検出回路
６８−１  電圧パルス出力部
６８−２  電流パルス出力部
７０  プロセッサ
７２  メモリ部
７４  システム通信部
７６  入出力部（Ｉ／Ｏ）
７８−１、７８−２  リモコン装置
【図１】
0006546006.tif 000002
【図２】
0006546006.tif 000003
【図３】
0006546006.tif 000004
【図４】
0006546006.tif 000005
【図５】
0006546006.tif 000006
【図６】
0006546006.tif 000007
【図７】
0006546006.tif 000008
【図８】
0006546006.tif 000009